(57)【要約】【課題】コンパクトかつ簡素な構成であり、機器類の設置時にデッドスペースが生じない補助ロック装置を提供する。【解決手段】固定枠体の前面部に固着されるロックベースに対してフロントガードが、連結アーム部の長孔状の軸受孔を通る枢軸によって、回転可能かつスライド可能に連結される。フロントガードのガイド溝とロックベースの割溝の一部にストッパーを幅方向に移動可能に嵌め入れる。前記割溝の内壁面にストッパーの錠止突起が係脱する錠止受部を設ける。錠前ユニットのロータに連動するカム軸の駆動突起をストッパーのカム軸孔の受動斜面部に当接させ、バネ部材でストッパーをガイド溝の前記内壁面に向かって移動付勢する。前記錠止突起と錠止受部が係合した施錠状態において、フロントガード側の当接部をロックベース側の被当接部に当接させて、ロックベースに対するフロントガードの回転を阻止する。【選択図】図６
2010209533.tif 000002
【特許請求の範囲】
【請求項１】
機器類の固定枠体の前面部に固着されるロックベースと、機器類の扉の前面部に対面する拘束実施位置と前記扉に干渉しない拘束解除位置の間で回転するフロントガードとからなり、前記フロントガードの長手方向の一端に突設した連結アーム部に前記フロントガードの長手方向に長い軸受孔を設け、前記ロックベースの長手方向の一端に前記連結アーム部が嵌合される割溝を設け、前記ロックベースに設けた軸孔及び前記軸受孔に嵌挿される枢軸によって、前記フロントガードを前記ロックベースに対して回転可能であるとともに前記ロックベースの長手方向に移動可能に連結し、
前記フロントガードの側面に錠前ユニットを埋設し、前記錠前ユニットのロータの延長線に交差して前記割溝に連通するガイド溝を前記フロントガードに設け、前記ガイド溝及び前記割溝の一部にストッパーを前記フロントガード及び前記ロックベースの幅方向に移動可能に嵌め入れ、前記割溝の前記錠前ユニット側の内壁面に、前記ストッパーの先端部側面の錠止突起が係脱する錠止受部を設け、
前記ストッパーの基端部にカム軸孔を幅方向に貫通して設け、前記カム軸孔の内周面に回転軸線に対して傾斜した受動斜面部を形成し、前記錠前ユニットの前記ロータに連動装備したカム軸を前記カム軸孔に嵌挿し、前記カム軸の外周面に突設した駆動突起を前記受動斜面部に当接させ、バネ部材によって前記ストッパーを前記ガイド溝及び前記割溝の前記錠前ユニット側の内壁面に向かって移動付勢してあり、
前記ストッパーの前記錠止突起が前記ロックベースの前記錠止受部に係合した施錠状態において、前記フロントガード側の回転阻止用当接部が前記ロックベース側の回転阻止用被当接部に当接することによって、前記ロックベースに対する前記フロントガードの回転が阻止される一方、
前記錠前ユニットの前記ロータを所定角度回転させたとき、前記カム軸の前記駆動突起が前記ストッパーの前記受動斜面部を押すことによって、前記ストッパーが前記錠前ユニットとは反対方向に移動して、前記ストッパーの前記錠止突起が前記ロックベースの前記錠止受部より脱出し、前記フロントガードが前記ロックベースの長手方向に移動可能となって、前記フロントガードが前記ロックベースに対して回転可能となるようにした機器類の補助ロック装置。
【発明の詳細な説明】
【技術分野】
【０００１】
本発明は、自動販売機等の機器類において使用される補助ロック装置に関するものである。
【背景技術】
【０００２】
一般に自動販売機等の機器類においては、防犯性の向上のために通常のメインロック装置に加えて補助ロック装置を使用している。
【０００３】
従来例の補助ロック装置は、固定枠体の側面部に固着され、基端部に軸孔が設けられた固定ベースと；扉の前面部に押し当てられ、基端部に軸孔が設けられたフロントガードと；回転阻止断面部と回転許容断面部と錠止受部が設けられ、固定ベースの前記軸孔に回転不能かつ軸方向に移動可能に嵌挿された軸ピンと；フロントガード内に収納され、回転許容断面部がフロントガードの前記軸孔に係合してフロントガードが回転可能となるように前記軸ピンを移動付勢する第１バネと；フロントガードのガイド溝孔に収納されて固定ベースの前記軸孔の周壁部の受孔に係脱し、前記軸ピンの回転阻止断面部がフロントガードの前記軸孔に係合してフロントガードが回転不能となるとき、先端部が前記軸ピンの錠止受部に係合するロック板と；フロントガード内に収納され、前記ロック板を前記軸ピンの方向に移動付勢する第２バネと；フロントガードに固着され、前記ロック板の先端部が前記軸ピンの錠止受部から離脱するように駆動する操作カムをロータに連結した錠前ユニットとからなる(特許文献１参照)。
【０００４】
別の従来例の補助ロック装置は、固定枠体の側面部に固定される固定ベースと、該固定ベースの一端に回転可能に取り付けられ、回転動作により閉鎖状態の扉の前面部に近接して扉を拘束保持するフロントガードと、該フロントガードが前記所定位置に移動した状態で該フロントガードの回転動作を錠止固定可能な施錠手段と、前記フロントガードに設けられた係合部と、前記扉の前面に設けられ、前記フロントガードが前記所定位置に移動した状態で該フロントガードの前記係合部を係合固定可能な被係合部を備える（特許文献２）。
【０００５】
以上のように従来の補助ロック装置は、固定ベースは扉を固定枠体に取り付ける蝶番とは反対側の固定枠体の側面部に固着されており、固定枠体の側面部に突出配置される固定ベースの存在は、機器類を建物等の既設構造物に隣接して設置する場合や機器類同士を隣接して設置する場合には、邪魔な存在となり、機器類と既設構造物の間や機器類同士の間に当該突出量に相応したデッドスペースが発生し、設置スペースを無駄に食うことになる。
【０００６】
また、これらの補助ロック装置では、構成が複雑で部品点数が多いため、製作コストが嵩むとともに、固定ベースに対するフロントガードの回転を阻止する回転阻止用部が特定個所に局限的かつ比較的肉薄に形成されているため、バール等の工具の差し込みによるフロントガードそれ自体の抉じ開けに対して弱いという問題もある。
【０００７】
【特許文献１】特許第２８５３９９４号公報
【特許文献２】特許第４１７６６６１号公報
【発明の開示】
【発明が解決しようとする課題】
【０００８】
本発明の課題は、コンパクトかつ簡素な構成により製作コストの節減が可能であるとともに、固定枠体の側面部に突出配置される構成部分がないため、機器類の設置に当たってデッドスペースが発生せず、また、フロントガードそれ自体の抉じ開けに対して補強されている機器類の補助ロック装置を提供することである。
【課題を解決するための手段】
【０００９】
本発明の補助ロック装置は、機器類の固定枠体の前面部に固着されるロックベースと、機器類の扉の前面部に対面する拘束実施位置と前記扉に干渉しない拘束解除位置の間で回転するフロントガードとからなり、前記フロントガードの長手方向の一端に突設した連結アーム部に、前記フロントガードの長手方向に長い軸受孔を設け、前記ロックベースの長手方向の一端に前記連結アーム部が嵌合される割溝を設け、前記ロックベースに設けた軸孔及び前記軸受孔に嵌挿される枢軸によって、前記フロントガードを前記ロックベースに対して回転可能であるとともに前記ロックベースの長手方向に移動可能に連結し、
前記フロントガードの側面に錠前ユニットを埋設し、前記錠前ユニットのロータの延長線に交差するガイド溝を前記フロントガードに設け、前記ガイド溝及び前記割溝の一部にストッパーを前記フロントガード及び前記ロックベースの幅方向に移動可能に嵌め入れ、前記割溝の前記錠前ユニット側の内壁面に、前記ストッパーの先端部側面の錠止突起が係脱する錠止受部を設け、
前記ストッパーの基端部にカム軸孔を幅方向に貫通して設け、前記カム軸孔の内周面に回転軸線に対して傾斜した受動斜面部を形成し、前記錠前ユニットの前記ロータに連動装備したカム軸を前記カム軸孔に嵌挿し、前記カム軸の外周面に突設した駆動突起を前記受動斜面部に当接させ、バネ部材によって前記ストッパーを前記ガイド溝及び前記割溝の前記錠前ユニット側の内壁面に向かって移動付勢してあり、
前記ストッパーの前記錠止突起が前記ロックベースの前記錠止受部に係合した施錠状態において、前記フロントガード側の回転阻止用当接部が前記ロックベース側の回転阻止用被当接部に当接することによって、前記ロックベースに対する前記フロントガードの回転が阻止される一方、
前記錠前ユニットの前記ロータを所定角度回転させたとき、前記カム軸の前記駆動突起が前記ストッパーの前記受動斜面部を押すことによって、前記ストッパーが前記錠前ユニットとは反対方向に移動して、前記ストッパーの前記錠止突起が前記ロックベースの前記錠止受部より脱出し、前記フロントガードが前記ロックベースの長手方向に移動可能となって、前記フロントガードが前記ロックベースに対して回転可能となるようにしたものである。
【発明の効果】
【００１０】
本発明の補助ロック装置は、機器類の固定枠体の前面部に固着されるロックベースと、機器類の扉の前面部に対面する規制実施位置と前記扉に干渉しない規制解除位置の間で回転するフロントガードと、前記フロントガードの側面に埋設した錠前ユニットと、前記フロントガードのガイド溝及び前記割溝の一部に嵌め入れられるストッパーと、前記錠前ユニットのロータに連動装備されて前記ストッパーの基端部のカム軸孔に嵌挿されるカム軸と、前記フロントガードの連結アーム部の軸受孔に挿入される枢軸とを主要構成部品とするものであり、総じてコンパクトかつ簡素な構成を採用したものであるから、製作コストの節減が可能である。
【００１１】
また、前記錠前ユニットの前記ロータを所定角度回転させたとき、前記カム軸の外周面に形成した駆動突起が、前記ストッパーのカム軸孔の内周面に形成した受動斜面部を押すことによって、前記ストッパーがバネ部材の付勢に抗して前記錠前ユニットとは反対方向に移動し、前記ストッパーの先端部側面の錠止突起が前記ロックベースの前記割溝の内壁面の錠止受部より脱出することによって、前記フロントガードが前記ロックベースの長手方向に移動可能となり、前記フロントガードが前記ロックベースに対して回転可能となるものであるから、作動機構も簡素化され、扉閉鎖状態においては扉の前方移動を規制し、扉を開放したいときには当該規制を即座に解除することができる補助ロック装置として、常に安定に作動するものである。
【００１２】
更にまた、本発明の補助ロック装置では、前記ロックベースは機器類の固定枠体の前面部に固着されるものであり、前記錠前ユニット、前記ストッパー、前記カム軸は通常時は扉の前面部に対面する前記フロントガードの内部に格納されているものであり、前記枢軸は前記固定ベースに挿入されたものであるから、固定枠体の側面部に突出する構成部分は存在していない。そのため、機器類を既設構造物に隣接して設置する場合、あるいは機器類同士を隣接して設置する場合にデッドスペースを生じることがなく、設置スペースの有効利用を図れることになる。
【００１３】
扉閉鎖状態において前記フロントガードが扉の前面部に対面した拘束実施位置にあるときには、前記ストッパーの前記錠止突起が前記ロックベースの前記錠止受部に係合することによって、前記固定ベースから離れる方向への前記フロントガードのスライドが阻止されており、この状態では、前記フロントガード側の回転阻止用当接部が前記ロックベース側の回転阻止用被当接部に当接しているため、バール等の工具を前記フロントガードと扉前面部との間に差し込んで前記フロントガードを抉じ開けしようとするとき、抉じ開け圧力は前記当接部と前記被当接部に強固に支承されることになり、フロントガード自体の抉じ開けに対しても強い補助ロック装置が得られる。
【実施例】
【００１４】
図示の実施例においては、機器類の固定枠体１の前面部に固着されるロックベース２は、正面視において下端部左右側面が山形斜面に形成された矩形状であり、背面のボルト孔３に螺合されるボルト（図示していない）によってパッキング４を挟んで機器類の扉５の背面側から締付け固着されている。
【００１５】
扉５の前面部に対面する拘束実施位置（図４に実線で示した位置）と扉５の回転軌跡に干渉しない拘束解除位置（図４に一点鎖線で示した位置）との間で回転するフロントガード６は、正面視において上半部左右側面が山形斜面に形成された矩形状であり、フロントガード６の長手方向の一端すなわち図示の下端面には、中心線より右側部分に連結アーム部７がフロントガード６の長手方向に突設され、連結アーム部７は正面視においてフロントガード６の横幅の４分の１強の幅寸法を持った幅広の略扇形板状のものである。
【００１６】
連結アーム部７の側面中央部には、フロントガード６の長手方向に長い長孔状の軸受孔８が左右方向に貫通して設けられている。連結アーム部７の下端面は、軸受孔８の上端部を中心とする円弧面部９と、該円弧面部９の前側に連結された直線面部１０とで構成されており、この直線面部１０がフロントガード６の回転阻止用当接部を構成している。フロントガード６の下端面の左側部分には、連結アーム部７との間に間隔を置いて位置決め突起１１が突設されている。連結アーム部７と位置決め突起１１は平行に配置されている。
【００１７】
ロックベース２の長手方向の一端すなわち図示の上端面には、連結アーム部７が長手方向にスライド可能及びロックベース２に対して回転可能に嵌め込まれる割溝１２を形成してある。割溝１２の下方内端面は、軸受孔８の上端部を中心とする円弧面部１３と、該円弧面部１３の前側に連結された直線面部１４とで構成されており、この直線面部１４がフロントガード６の回転阻止用被当接部を構成している。この被当接部は肉厚が厚く形成されている。ロックベース１の上端面の左側部分には、割溝１２との間に間隔を置いて位置決め溝１５が形成されている。割溝１２と位置決め溝１５は平行に配置されている。
【００１８】
フロントガード６の左側面に開口した錠前収容孔１６には、シリンダ錠機構を内蔵した錠前ユニット１７が嵌め込まれ、フロントガード６の背面側から外筒溝に挿入されたＵ字状の取付け金具１８及びビス１９によって、フロントガード６に固定されている。錠前ユニット１７のロータ２０の先端軸部２１は小判形断面に形成されている。円筒状のカム軸２２の基端部には小判形断面の受孔２３が中央に設けられている。受孔２３にロータ２０の先端軸部２１を嵌合することによって、カム軸２２は錠前ユニット１７のロータ２０と連動している。
【００１９】
フロントガード６の下端部のガイド溝２４は、連結アーム部７の根元部分にフロントガード６の長手方向に形成されており、錠前ユニット１７のロータ２０の延長線と直角に交差している。ガイド溝２４と割溝１２の上端部に収容されたストッパー２５は、上端部が略円形状に形成された板状部材である。割溝１２の錠前ユニット１７側の内壁面２６には、ストッパー２５の下端部側面の錠止突起２７が係脱する錠止受部２８を設けてある。
【００２０】
、
ストッパー２５の上端部には、カム軸２２よりも大径のカム軸孔２９を幅方向に貫通して設けてあり、カム軸孔２９の内周面部には、カム軸２２の回転軸線に対して傾斜した一対の受動斜面部３０を形成してある。カム軸２２の外周面端部には、一対の駆動突起３１が突設されている。カム軸２２は、ガイド溝２４の錠前ユニット１７とは反対側の内壁面３２に当接するように配置されている。カム軸孔２９の内周段差面３３とガイド溝２４の内壁面３２との間には、圧縮コイルバネよりなるバネ部材３４が挿入されており、ストッパー２５の受動斜面部３０をカム軸２２の駆動突起３１に押し当てる一方、ストッパー２５をガイド溝２４の錠前ユニット１７側の内壁面３５に押し当てている。
【００２１】
フロントガード６のガイド溝２４は裏板３６によって閉塞されており、裏板３６は透孔３７からフロントガード６のビス孔３８及び連結アーム部７のビス孔３９に螺合されるビス４０によって、フロントガード６及び連結アーム部５に締付け固着されている。フロントガード６の本体部分と連結アーム部７が裏板３６によって結合されているため、連結アーム部７の補強となっている。
【００２２】
ロックベース２の下部にはクリックピン４１が内蔵されており、クリックピン収容孔４２は、割溝１２の前記円弧面部１３に開口している。クリックピン４１は、圧縮コイルバネよりなるクリック用バネ部材４３によって上方に移動付勢されている。フロントガード６の連結アーム部７の下端部前面には、クリックピン４１の先端部が係脱するクリック溝４４を設けてある。クリックピン４１に交差挿入された抜止めピン５６は、ロックベース２の上下方向のスロット５５に挿入されている。
【００２３】
フロントガード６の上端背面部の空洞部４５には水平仕切り壁４６があり、水平仕切り壁４６には掛止め孔４７が上下に貫通して形成されている。扉５の前面部であってフロントガード６に隠される部位には、前記掛止め孔４７に係合するフック板４８が固着されている。ロックベース２の側壁部の段差部４９は、フロントガード６の側壁部の段差部５０に係合する。フック板４８は透孔５８を通るビス（図示していない）によって扉５に固着される。
【００２４】
ロックベース２の右側面部に割溝１２と直角に交差して設けられた軸孔５１は、左側面部には貫通していない。軸孔５１より連結アーム部７の軸受孔８に挿入された枢軸５２は、止めビス５３によってロックベース２に締付け固定されている。
【００２５】
このように構成された補助ロック装置によれば、固定枠体１に対して閉鎖された扉５は、フロントガード６が扉５の前面部に当てられることによって、閉鎖位置に拘束される。この拘束実施状態においては、図２に示したようにバネ部材３４に押されたストッパー２５は、錠前ユニット１７側のガイド溝２４の内壁面２６に当接しており、ストッパー２５の錠止突起２７が割溝１２の内壁面の錠止受部２８に係合している。そのため、フロントガード６はロックベース２に対してスライド不能に錠止されている。カム軸２２の駆動突起３１は、ストッパー２５の受動斜面部３０に内端部、すなわち、カム軸孔２９の内周段差面３３側の端部に係合している。
【００２６】
図６に示したように、連結アーム部７の下端面の直線面部１０は、割溝１２の内面の直線面部１４に当接しており、これによってロックベース２に対するフロントガード６の回転が阻止されている。また、図１及び図３に示したように、フロントガード６の位置決め突起１１の下端面がロックベース２の位置決め溝１５の内面に係合しており、これによってロックベース２に対するフロントガード６の回転が阻止されている。さらにまた、図３及び図４に示したように、ロックベース２の側壁部の段差部４９にフロントガード６の側壁部の段差部５０が係合しており、これによっても、ロックベース２に対するフロントガード６の回転が阻止されている。
【００２７】
すなわち、本実施例では、フロントガード６側の回転阻止用当接部とロックベース２側の回転阻止用被当接部が、３組用意されているため、バール等の工具によってフロントガード６それ自体を抉じ開けようとしても、これら３組の回転阻止用当接部と被当接部が分散して強固に抵抗するため、不当な盗犯行為から的確に防護される。
この掛止め孔４７に係合しているフック板４８も、フロントガード６の回転阻止手段として機能している。フロントガード６には背面カバー５４が嵌められる。背面カバー５４は、背面カバー取付用ビス孔５７に螺合されるビス（図示していない）によってフロントガード６に固定される。背面カバー５４には、フック板４８の通過用開口部５９が設けられている。
【００２８】
扉５を開放するときには、錠前ユニット１７に所定の鍵（図示していない）を挿入し、ロータ２０を所定方向に所定角度回す。このロータ２０の回転に連動してカム軸２２が回転し、カム軸２２の駆動突起３１がストッパー２５のカム軸孔２９の受動斜面部３０を押すため、ストッパー２５はバネ部材３４の付勢に抗して、錠前ユニット１７から離れる方向にガイド溝２４内を平行移動する。ストッパー２５がガイド溝２４の錠前ユニット１７とは反対側の内壁面３２に当接したとき、ストッパー２５の錠止突起２７が割溝１２の内壁面の錠止受部２８から脱出する。そのため、フロントガード６はロックベース２に対して上方向にスライド可能となる。
【００２９】
フロントガード６の上方向へのスライドによって、フロントガード６の掛止め孔４７からフック板４８が離脱し、連結アーム部７の下端面の直線面部１０が割溝１２の内面の直線面部１４から離脱し、フロントガード６の位置決め突起１１の下端面がロックベース２の位置決め溝１５の内面から離脱し、ロックベース２の側壁部の段差部４９からフロントガード６の側壁部の段差部５０から離脱するため、ロックベース２に対するフロントガード６の回転が可能となる。枢軸５２は見掛け上、軸受孔８の下端部に移動している。
【００３０】
フリーになったフロントガード６を枢軸５２を中心にして、図６に鎖線で示した拘束解除位置に回転させると、扉５はフロントガード６による拘束を受けず、図１において扉５の左側または右側に装着されるヒンジ軸（図示していない）を中心にして開放回転させられる。
フロントガード６が拘束解除位置に回されたとき、クリックピン４１がクリック溝４４に係合し、フロントガード６をその位置に安定に保持する。
【００３１】
扉５を閉鎖回転した後、フロントガード６を枢軸５２を中心にして図６に実線で示した拘束実施位置まで回すと、フック板４８がフロントガード６の背面空洞部４５に入り込む。この段階でフロントガード６から手を離すと、フロントガード６は自重によって扉５の前面に沿って下方向にスライドし、フック板４８の先端フック部が空洞部４５の仕切り壁部４６の掛止め孔４７に係合する。なお、フロントガード６の下向きスライドは、手でフロントガード６を引き下げることによっても行なえる。
【００３２】
フロントガード６が下方にスライドすると、フロントガード６の連結アーム部７がロックベース２の割溝１２に深く係合し、枢軸５２は見掛け上、軸受孔８内を上方に移動する。枢軸５２が軸受孔８の上端部に係合したとき、それまでガイド溝２５の内壁面３５から割溝１２の内壁面２６を滑って来たストッパー２５の錠止突起２７が、割溝１２の内壁面２６の錠止受部２８に自動的に係合するため、ロックベース２に対するフロントガード６の錠止が自動的に成立する。
ストッパー２５がガイド溝２４の内壁面３５に当接することによって、カム軸２２の駆動突起３１は、ストッパー２５の受動斜面部３０に内端部、すなわち、カム軸孔２９の内周段差面３３側の端部に係合することになる。
【００３３】
フロントガード６が下方にスライドしたとき、連結アーム部７の下端面の直線面部１０が割溝１２の内面の直線面部１４に当接し、フロントガード６の位置決め突起１１の下端面がロックベース２の位置決め溝１５の内面に係合し、ロックベース２の側壁部の段差部４９にフロントガード６の側壁部の段差部５０が係合し、ロックベース２に対するフロントガード６の回転が阻止されることになる。
このように、ロックベース２に対するフロントガード６の錠止が自動的に成立するため、本実施例の補助ロック装置は操作の簡便性に優れている。
【００３４】
上記実施例とは違えて、扉を固定枠体に錠止するメインの扉用ロックハンドル装置を拘束対象にすることもできる。その場合には、ロックベースをメインの扉用ロックハンドル装置に近接した固定枠体の前面部に固着するか、あるいは、ロックベースをメインの扉用ロックハンドル装置に近接した扉の前面部に固着し、フロントガードを当該扉用ロックハンドル装置の操作ハンドルまたは当該操作ハンドルに埋設された錠前ユニットの前面部を覆うように配置するのである。
【図面の簡単な説明】
【００３５】
【図１】本発明の一実施例に係る補助ロック装置の正面図である。
【図２】図１の補助ロック装置の背面カバーとパッキング及び裏板を除去したときの背面図である。
【図３】図１の補助ロック装置の右側面図である。
【図４】図１の補助ロック装置の左側面図である。
【図５】図１の補助ロック装置の平面図である。
【図６】図１のＡ−Ａ線断面図である。
【図７】図１の補助ロック装置に組み込んだストッパーの背面図である。
【図８】図７のストッパーの右側面図である。
【図９】図７のストッパーの左側面図である。
【図１０】図９のＢ−Ｂ線断面図である。
【図１１】図１の補助ロック装置に組み込んだカム軸の背面図である。
【図１２】図１１のカム軸の左側面図である。
【図１３】図１の補助ロック装置に組み込んだフック板の正面図である。
【図１４】図１３のフック板の右側面図である。
【図１５】図１の補助ロック装置に組み込んだ裏板の正面図である。
【図１６】図１５の裏板の左側面図である。
【図１７】図１５の裏板の平面図である。
【符号の説明】
【００３６】
１  固定枠体
２  ロックベース
３  ボルト孔
４  パッキング
５  扉
６  フロントガード
７  連結アーム部
８  軸受孔
９  連結アーム部の円弧面部
１０  連結アーム部の直線面部
１１  位置決め突起
１２  割溝
１３  割溝の円弧面部
１４  割溝の直線面部
１５  位置決め溝
１６  錠前収容孔
１７  錠前ユニット
１８  取付け金具
１９  ビス
２０  ロータ
２１  ロータの先端軸部
２２  カム軸
２３  受孔
２４  ガイド溝
２５  ストッパー
２６  割溝の錠前ユニット側の内壁面
２７  ストッパーの錠止突起
２８  割溝側の錠止受部
２９  ストッパーのカム軸孔
３０  カム軸孔の受動斜面部
３１  カム軸の駆動突起
３２  ガイド溝の錠前ユニットとは反対側の内壁面
３３  カム軸孔の内周段差面
３４  ストッパー付勢用バネ部材
３５  ガイド溝の錠前ユニット側の内壁面
３６  フロントガードの裏板
３７  裏板の透孔
３８  フロントガードのビス孔
３９  連結アーム部のビス孔
４０  ビス
４１  クリックピン
４２  クリックピン収容孔
４３  クリック用バネ部材
４４  クリック溝
４５  フロントガードの背面空洞部
４６  水平仕切り壁
４７  掛止め孔
４８  フック板
４９  ロックベースの側壁部の段差部
５０  フロントガードの側壁部の段差部
５１  ロックベースの軸孔
５２  枢軸
５３  止めビス
５４  背面カバー
５５  スロット
５６  抜止めピン
５７  背面カバー取付用ビス孔
５８  フック板の透孔
【図１】
2010209533.tif 000003
【図２】
2010209533.tif 000004
【図３】
2010209533.tif 000005
【図４】
2010209533.tif 000006
【図５】
2010209533.tif 000007
【図６】
2010209533.tif 000008
【図７】
2010209533.tif 000009
【図８】
2010209533.tif 000010
【図９】
2010209533.tif 000011
【図１０】
2010209533.tif 000012
【図１１】
2010209533.tif 000013
【図１２】
2010209533.tif 000014
【図１３】
2010209533.tif 000015
【図１４】
2010209533.tif 000016
【図１５】
2010209533.tif 000017
【図１６】
2010209533.tif 000018
【図１７】
2010209533.tif 000019